(57)【要約】【課題】  複数の撮影画像からなる１組分の撮影画像に対するダイレクトプリントの操作性を向上することができる画像処理装置及びその制御方法、プログラムを提供する。【解決手段】  撮像部による撮影時の撮影情報と撮影画像データを記憶する。記憶される撮影画像データの内、印刷対象の撮影画像データを指定する。指定された撮影画像データの撮影情報の内容を判定する。判定結果に基づいて、指定された撮影画像データをプリンタに出力して印刷させる第１印刷モードと、指定された撮影画像データを含む前記段階撮影によって撮影された一連の撮影画像データ群をプリンタに出力して印刷させる第２印刷モードの少なくとも一方を表示部に表示する。【選択図】  図１０
2005176108.tif 000002
【特許請求の範囲】
【請求項１】
撮像部に対する撮影条件を段階的に切り替えながら連続して撮影する段階撮影機能を有し、前記撮像部による撮影画像を直接プリンタに出力して印刷させる画像処理装置であって、
前記撮像部による撮影時の撮影情報と撮影画像データを記憶する記憶手段と、
前記記憶手段に記憶される撮影画像データの内、印刷対象の撮影画像データを指定する指定手段と、
前記指定手段で指定された撮影画像データの撮影情報の内容を判定する判定手段と、
前記指定手段で指定された撮影画像データを前記プリンタに出力して印刷させる第１印刷モードを選択する第１選択手段と、
前記指定手段で指定された撮影画像データを含む前記段階撮影によって撮影された一連の撮影画像データ群を前記プリンタに出力して印刷させる第２印刷モードを選択する第２選択手段と、
前記判定手段の判定結果に基づいて、前記第１選択手段及び前記第２選択手段の少なくとも一方を表示部に表示する表示制御手段と
を備えることを特徴とする画像処理装置。
【請求項２】
前記判定手段で判定された撮影情報が前記段階撮影を示す情報でない場合、前記表示制御手段は、前記第１選択手段を前記表示部に表示する
ことを特徴とする請求項１に記載の画像処理装置。
【請求項３】
前記判定手段で判定された撮影情報が前記段階撮影を示す情報である場合、前記表示制御手段は、前記第１選択手段及び前記第２選択手段を前記表示部に表示する
ことを特徴とする請求項１に記載の画像処理装置。
【請求項４】
前記判定手段で判定された撮影情報が前記段階撮影を示す情報である場合、前記表示制御手段は、前記第２選択手段を前記表示部に表示する
ことを特徴とする請求項１に記載の画像処理装置。
【請求項５】
前記第２印刷モードは、更に、前記段階撮影によって撮影された一連の撮影画像データ群を１枚の印刷用紙に前記プリンタで印刷させる第１サブ印刷モードと、前記段階撮影によって撮影された一連の撮影画像データ群を別々の印刷用紙に前記プリンタで連続して印刷させる第２サブ印刷モードを備える
ことを特徴とする請求項１に記載の画像処理装置。
【請求項６】
前記判定手段で判定された撮影情報が前記段階撮影を示す情報である場合、前記表示制御手段は、前記第１選択手段と、及び前記第１サブ印刷モードと前記第２印刷モードの少なくとも一方を備える前記第２選択手段を前記表示部に表示する
ことを特徴とする請求項５に記載の画像処理装置。
【請求項７】
前記判定手段で判定された撮影情報が前記段階撮影を示す情報である場合、前記表示制御手段は、前記第１サブ印刷モードと前記第２印刷モードを備える前記第２選択手段を前記表示部に表示する
ことを特徴とする請求項５に記載の画像処理装置。
【請求項８】
前記指定手段で指定された撮影画像データを、前記記憶手段から読み出す読出手段を更に備える
ことを特徴とする請求項１に記載の画像処理装置。
【請求項９】
前記判定手段で、前記指定手段で指定された撮影画像データの撮影情報が前記段階撮影を示す情報であると判定した場合、前記読出手段は、前記指定手段で指定された撮影画像データを含む前記段階撮影によって撮影された一連の撮影画像データ群を前記記憶手段から読み出す
ことを特徴とする請求項８に記載の画像処理装置。
【請求項１０】
前記第２選択手段によって前記第２印刷モードが選択された場合、前記読出手段は、前記指定手段で指定された撮影画像データを含む前記段階撮影によって撮影された一連の撮影画像データ群を前記記憶手段から読み出す
ことを特徴とする請求項８に記載の画像処理装置。
【請求項１１】
前記段階撮影は、ＡＥＢ撮影、ＩＳＯＢ撮影及びＷＢＢ撮影の少なくとも１つを含む
ことを特徴とする請求項１に記載の画像処理装置。
【請求項１２】
撮像部に対する撮影条件を段階的に切り替えながら連続して撮影する段階撮影機能を有し、前記撮像部による撮影画像を直接プリンタに出力して印刷させる画像処理装置の制御方法であって、
前記撮像部による撮影時の撮影情報と撮影画像データを記憶媒体に記憶する記憶工程と、
前記記憶媒体に記憶される撮影画像データの内、印刷対象の撮影画像データを指定する指定工程と、
前記指定工程で指定された撮影画像データの撮影情報の内容を判定する判定工程と、
前記判定工程の判定結果に基づいて、
前記指定工程で指定された撮影画像データを前記プリンタに出力して印刷させる第１印刷モードを選択する第１選択部と、
前記指定工程で指定された撮影画像データを含む前記段階撮影によって撮影された一連の撮影画像データ群を前記プリンタに出力して印刷させる第２印刷モードを選択する第２選択部と
の少なくとも一方を表示部に表示する表示制御工程と
を備えることを特徴とする画像処理装置の制御方法。
【請求項１３】
撮像部に対する撮影条件を段階的に切り替えながら連続して撮影する段階撮影機能を有し、前記撮像部による撮影画像を直接プリンタに出力して印刷させる画像処理装置の制御を実現するプログラムであって、
前記撮像部による撮影時の撮影情報と撮影画像データを記憶媒体に記憶する記憶工程のプログラムコードと、
前記記憶媒体に記憶される撮影画像データの内、印刷対象の撮影画像データを指定する指定工程プログラムコードと、
前記指定工程で指定された撮影画像データの撮影情報の内容を判定する判定工程プログラムコードと、
前記判定工程の判定結果に基づいて、
前記指定工程で指定された撮影画像データを前記プリンタに出力して印刷させる第１印刷モードを選択する第１選択部と、
前記指定工程で指定された撮影画像データを含む前記段階撮影によって撮影された一連の撮影画像データ群を前記プリンタに出力して印刷させる第２印刷モードを選択する第２選択部と
の少なくとも一方を表示部に表示する表示制御工程プログラムコードと
を備えることを特徴とするプログラム。
【発明の詳細な説明】
【技術分野】
【０００１】
本発明は、撮像部に対する撮影条件を段階的に切り替えながら連続して撮影する段階撮影機能を有し、前記撮像部による撮影画像を直接プリンタに出力して印刷させる画像処理装置及びその制御方法、プログラムに関するものである。
【背景技術】
【０００２】
従来より、プリンタにデジタルカメラを接続して、デジタルカメラで撮影した画像をプリントする機能（以後、ダイレクトプリントと言う）を有するデジタルカメラ（デジタルスチルカメラ／デジタルビデオカメラ）が提案されている。
【０００３】
これらのダイレクトプリント機能を有するデジタルカメラによる印刷手順では、デジタルカメラ上で最初に印刷対象の撮影画像を選択し、選択された１個の撮影画像を、プリンタに出力して印刷する構成を採用している。
【０００４】
また、従来より、ＡＥＢ撮影（オートエクスポージャブラケット：段階露出撮影）機能を有するデジタルカメラが提案されている。
【０００５】
例えば、従来から提案されているＡＥＢ撮影機能を有するデジタルカメラでは、適正露出で１枚（１画像）、アンダー側の露出で１枚（１画像）、オーバー側の露出で１枚（１画像）、計３枚（３画像）が１組になっている。
【０００６】
また、最近のＡＥＢ撮影機能を有するデジタルカメラでは、適正露出で１枚（１画像）、アンダー側の露出で２枚（２画像）、オーバー側の露出で２枚（２画像）、計５枚（５画像）が１組になるカメラも提案されている。
【０００７】
また、最近では、ＡＥＢ撮影の撮影枚数を切り替えられるデジタルカメラも提案されている。
【０００８】
また、ＡＥＢ撮影機能とダイレクトプリント機能の両機能を有するデジタルカメラも提案されている。
【特許文献１】特開平１０−５１７１６号公報
【発明の開示】
【発明が解決しようとする課題】
【０００９】
しかしながら、上記のような、ＡＥＢ撮影機能とダイレクトプリント機能の両機能を有するデジタルカメラにおいて、ＡＥＢ撮影した１組分（複数個）の撮影画像をプリンタで印刷する場合は、印刷対象の画像を選択し印刷実行操作をする、という行為を１組分（所定画像数分）だけ繰り返す必要があり、使い勝手として不便であった。特に、ＡＥＢ撮影枚数が多い程、この不便度が増加する。
【００１０】
また、ＩＳＯＢ撮影やＷＢＢ撮影についても同様のことが言え、このような段階撮影を行う撮影モードで撮影された複数の撮影画像からなる１組分の撮影画像を、ダイレクトプリントで印刷する場合の操作性が欠けていた。
【００１１】
本発明は上記の課題に鑑みてなされたものであり、複数の撮影画像からなる１組分の撮影画像に対するダイレクトプリントの操作性を向上することができる画像処理装置及びその制御方法、プログラムを提供することを目的とする。
【課題を解決するための手段】
【００１２】
上記の目的を達成するための本発明による画像処理装置は以下の構成を備える。即ち、
撮像部に対する撮影条件を段階的に切り替えながら連続して撮影する段階撮影機能を有し、前記撮像部による撮影画像を直接プリンタに出力して印刷させる画像処理装置であって、
前記撮像部による撮影時の撮影情報と撮影画像データを記憶する記憶手段と、
前記記憶手段に記憶される撮影画像データの内、印刷対象の撮影画像データを指定する指定手段と、
前記指定手段で指定された撮影画像データの撮影情報の内容を判定する判定手段と、
前記指定手段で指定された撮影画像データを前記プリンタに出力して印刷させる第１印刷モードを選択する第１選択手段と、
前記指定手段で指定された撮影画像データを含む前記段階撮影によって撮影された一連の撮影画像データ群を前記プリンタに出力して印刷させる第２印刷モードを選択する第２選択手段と、
前記判定手段の判定結果に基づいて、前記第１選択手段及び前記第２選択手段の少なくとも一方を表示部に表示する表示制御手段と
を備える。
【００１３】
また、好ましくは、前記判定手段で判定された撮影情報が前記段階撮影を示す情報でない場合、前記表示制御手段は、前記第１選択手段を前記表示部に表示する。
【００１４】
また、好ましくは、前記判定手段で判定された撮影情報が前記段階撮影を示す情報である場合、前記表示制御手段は、前記第１選択手段及び前記第２選択手段を前記表示部に表示する。
【００１５】
また、好ましくは、前記判定手段で判定された撮影情報が前記段階撮影を示す情報である場合、前記表示制御手段は、前記第２選択手段を前記表示部に表示する。
【００１６】
また、好ましくは、前記第２印刷モードは、更に、前記段階撮影によって撮影された一連の撮影画像データ群を１枚の印刷用紙に前記プリンタで印刷させる第１サブ印刷モードと、前記段階撮影によって撮影された一連の撮影画像データ群を別々の印刷用紙に前記プリンタで連続して印刷させる第２サブ印刷モードを備える。
【００１７】
また、好ましくは、前記判定手段で判定された撮影情報が前記段階撮影を示す情報である場合、前記表示制御手段は、前記第１選択手段と、及び前記第１サブ印刷モードと前記第２印刷モードの少なくとも一方を備える前記第２選択手段を前記表示部に表示する。
【００１８】
また、好ましくは、前記判定手段で判定された撮影情報が前記段階撮影を示す情報である場合、前記表示制御手段は、前記第１サブ印刷モードと前記第２印刷モードを備える前記第２選択手段を前記表示部に表示する。
【００１９】
また、好ましくは、前記指定手段で指定された撮影画像データを、前記記憶手段から読み出す読出手段を更に備える。
【００２０】
また、好ましくは、前記判定手段で、前記指定手段で指定された撮影画像データの撮影情報が前記段階撮影を示す情報であると判定した場合、前記読出手段は、前記指定手段で指定された撮影画像データを含む前記段階撮影によって撮影された一連の撮影画像データ群を前記記憶手段から読み出す。
【００２１】
また、好ましくは、前記第２選択手段によって前記第２印刷モードが選択された場合、前記読出手段は、前記指定手段で指定された撮影画像データを含む前記段階撮影によって撮影された一連の撮影画像データ群を前記記憶手段から読み出す。
【００２２】
また、好ましくは、前記段階撮影は、ＡＥＢ撮影、ＩＳＯＢ撮影及びＷＢＢ撮影の少なくとも１つを含む。
【００２３】
上記の目的を達成するための本発明による画像処理装置の制御方法は以下の構成を備える。即ち、
撮像部に対する撮影条件を段階的に切り替えながら連続して撮影する段階撮影機能を有し、前記撮像部による撮影画像を直接プリンタに出力して印刷させる画像処理装置の制御方法であって、
前記撮像部による撮影時の撮影情報と撮影画像データを記憶媒体に記憶する記憶工程と、
前記記憶媒体に記憶される撮影画像データの内、印刷対象の撮影画像データを指定する指定工程と、
前記指定工程で指定された撮影画像データの撮影情報の内容を判定する判定工程と、
前記判定工程の判定結果に基づいて、
前記指定工程で指定された撮影画像データを前記プリンタに出力して印刷させる第１印刷モードを選択する第１選択部と、
前記指定工程で指定された撮影画像データを含む前記段階撮影によって撮影された一連の撮影画像データ群を前記プリンタに出力して印刷させる第２印刷モードを選択する第２選択部と
の少なくとも一方を表示部に表示する表示制御工程と
を備えることを特徴とする画像処理装置の制御方法。
【００２４】
上記の目的を達成するための本発明によるプログラムは以下の構成を備える。即ち、
撮像部に対する撮影条件を段階的に切り替えながら連続して撮影する段階撮影機能を有し、前記撮像部による撮影画像を直接プリンタに出力して印刷させる画像処理装置の制御を実現するプログラムであって、
前記撮像部による撮影時の撮影情報と撮影画像データを記憶媒体に記憶する記憶工程のプログラムコードと、
前記記憶媒体に記憶される撮影画像データの内、印刷対象の撮影画像データを指定する指定工程プログラムコードと、
前記指定工程で指定された撮影画像データの撮影情報の内容を判定する判定工程プログラムコードと、
前記判定工程の判定結果に基づいて、
前記指定工程で指定された撮影画像データを前記プリンタに出力して印刷させる第１印刷モードを選択する第１選択部と、
前記指定工程で指定された撮影画像データを含む前記段階撮影によって撮影された一連の撮影画像データ群を前記プリンタに出力して印刷させる第２印刷モードを選択する第２選択部と
の少なくとも一方を表示部に表示する表示制御工程プログラムコードと
を備える。
【発明の効果】
【００２５】
本発明によれば、複数の撮影画像からなる１組分の撮影画像に対するダイレクトプリントの操作性を向上することができる画像処理装置及びその制御方法、プログラムを提供できる。
【発明を実施するための最良の形態】
【００２６】
以下、本発明の実施の形態について図面を用いて詳細に説明する。
【００２７】
＜＜実施形態１＞＞
図１は本発明の実施形態１に係る画像処理装置の構成を示す図である。
【００２８】
この画像処理装置１００は、電子カメラ（デジタルカメラ）としての機能を有する。また、実施形態１では、この電子カメラの一例として、デジタルスチルカメラの想定して説明するが、以下に説明する構成を実現できる電子カメラ（例えば、デジタルビデオカメラ、カメラ付き携帯電話、カメラ付き携帯端末（ＰＤＡ、ノートパソコン））であれば、どのようなものでも良い。
【００２９】
図１において、１０は撮影レンズ、１２は絞り機能を備えるシャッター、１４は光学像を電気信号に変換する撮像素子（ＣＣＤ）、１６は撮像素子１４のアナログ信号出力をデジタル信号に変換するＡ／Ｄ変換器である。
【００３０】
１８はタイミング発生回路であり、撮像素子１４、Ａ／Ｄ変換器１６、Ｄ／Ａ変換器２６にクロック信号や制御信号を供給する。また、このタイミング発生回路１８は、メモリ制御回路２２及びシステム制御回路５０により制御される。
【００３１】
２０は画像処理回路であり、Ａ／Ｄ変換器１６からのデータあるいはメモリ制御回路２２からのデータに対して、所定の画素補間処理や色変換処理等の画像処理を実行する。また、画像処理回路２０では、撮像に係る画像データを用いて所定の演算処理を行って、その演算結果をシステム制御回路５０に供給する。
【００３２】
システム制御回路５０は、その演算結果に基づいて、露光制御部４０、測距制御部４２を制御して、ＴＴＬ（スルー・ザ・レンズ）方式のＡＦ（オートフォーカス）処理、ＡＥ（自動露出）処理、ＥＦ（フラッシュプリ発光）処理を実現する。さらに、画像処理回路２０では、撮像に係る画像データを用いてＴＴＬ方式のＡＷＢ（オートホワイトバランス）処理も行う。
【００３３】
２２はメモリ制御回路であり、Ａ／Ｄ変換器１６、タイミング発生回路１８、画像処理回路２０、画像表示メモリ２４、Ｄ／Ａ変換器２６、メモリ３０、圧縮・伸長回路３２を制御する。
【００３４】
Ａ／Ｄ変換器１６から出力されるデータは、画像処理回路２０を介してメモリ制御回路２２に供給され、あるいは直接メモリ制御回路２２に供給され、これにより、画像表示メモリ２４あるいはメモリ３０に書き込まれる。
【００３５】
２４は画像表示メモリ、２６はＤ／Ａ変換器、２８はＴＦＴ−ＬＣＤ等から成る画像表示部である。画像表示メモリ２４に書き込まれた表示用の画像データは、Ｄ／Ａ変換器２６を介して画像表示部２８に供給され、これにより画像表示部２８に画像が表示される。画像表示部２８に撮像に係る画像を逐次表示することにより、電子ファインダー機能を実現することができる。
【００３６】
また、画像表示部２８は、システム制御回路５０の指示により任意に表示をＯＮ／ＯＦＦすることが可能であり、表示をＯＦＦにした場合には画像処理装置１００の電力消費を大幅に低減することができる。
【００３７】
さらに、画像表示部２８は、回転可能なヒンジ部によって画像処理装置１００本体と結合されている。使用者は、画像表示部２８を自由な向き／角度に設定して、電子ファインダー機能や再生表示機能、各種表示機能を利用することができる。
【００３８】
また、この画像処理装置１００では、画像表示部２８の表示面を画像処理装置１００の本体側に向けて格納することが可能である。この格納状態は、画像表示部２８の画像表示部開閉検知部１０６により検知され、この検知結果に基づいて画像表示部２８の表示がＯＦＦ状態にされる。
【００３９】
３０は撮影した静止画像や動画像を格納するためのメモリであり、所定枚数の静止画像や所定時間の動画像を格納するのに十分な記憶量を備えている。このメモリ３０を利用することにより、複数枚の静止画像を連続して撮影する連写撮影やパノラマ撮影の場合においても、高速に大量の画像を保存することができる。また、メモリ３０はシステム制御回路５０の作業領域としても利用され得る。
【００４０】
３２は適応離散コサイン変換（ＡＤＣＴ）等により画像データを圧縮し又は伸長する圧縮・伸長回路であり、メモリ３０に格納された画像を読み込んで圧縮処理あるいは伸長処理を行い、処理後のデータをメモリ３０に書き込む。
【００４１】
４０は絞り機能を備えるシャッター１２を制御する露光制御部であり、フラッシュ装置４００と連携してフラッシュ調光を行うこともできる。
【００４２】
４２は撮影レンズ１０のフォーカシングを制御する測距制御部である。露光制御部４０及び測距制御部４２は、撮像に係る画像データを画像処理回路２０が演算した演算結果に基づいて、システム制御回路５０によって制御される。これにより、ＴＴＬ方式の露光制御及び測距制御が実現される。
【００４３】
４４は撮影レンズ１０のズーミングを制御するズーム制御部、４６はバリア（保護部）１０２の動作を制御するバリア制御部である。４８はコネクタであり、アクセサリーシューとも呼ばれる。このコネクタ４８には、フラッシュ装置４００との電気接点や機械的な固定部が含まれる。５０は画像処理装置１００全体を制御するシステム制御回路、５２はシステム制御回路５０の動作用の定数、変数、プログラム等の各種データを記憶するメモリである。
【００４４】
５４は表示部であり、システム制御回路５０によるプログラムの実行に応じて、文字、画像、音声等のデータを用いて動作状態やメッセージ等を表示する液晶表示装置やスピーカー等で構成される。表示部５４は、画像処理装置１００の操作部７０近辺の視認し易い位置に単数あるいは複数個所設置され、例えば、ＬＣＤやＬＥＤ、発音素子等の組み合わせにより構成されている。また、表示部５４は、その一部が光学ファインダー１０４内に設置されている。
【００４５】
表示部５４の表示内容の内、ＬＣＤ等の液晶表示装置で表示するものとしては、シングルショット／連写撮影表示、セルフタイマー表示、圧縮率表示、記録画素数表示、記録枚数表示、残撮影可能枚数表示、シャッタースピード表示、絞り値表示、露出補正表示、フラッシュ表示、赤目緩和表示、マクロ撮影表示、ブザー設定表示、時計用電池残量表示、電池残量表示、エラー表示、複数桁の数字による情報表示、外部デバイスである記録媒体２００及び外部プリンタ２１０の着脱状態表示、通信Ｉ／Ｆ動作表示、日付け・時刻表示等がある。
【００４６】
また、表示部５４の表示内容の内、光学ファインダー１０４内に表示するものとしては、合焦表示、手振れ警告表示、フラッシュ充電表示、シャッタースピード表示、絞り値表示、露出補正表示等がある。
【００４７】
５６は電気的に消去・記録可能な不揮発性メモリであり、例えば、ＥＥＰＲＯＭ等で構成される。
【００４８】
６０、６２、６４、６６、６８及び７０は、システム制御回路５０の各種の動作指示を入力するための操作手段であり、例えば、スイッチやダイヤル、タッチパネル、視線検知によるポインティング、音声認識装置等の単数あるいは複数の組み合わせで構成され得る。
【００４９】
より具体的には、６０はモードダイヤルスイッチであり、これにより、電源オフ、自動撮影モード、撮影モード、パノラマ撮影モード、再生モード、マルチ画面再生・消去モード、ＰＣ接続モード等の各機能モードを切替設定することができる。
【００５０】
また、６２はシャッタースイッチＳＷ１であり、不図示のシャッターボタンの操作途中でＯＮとなり、ＡＦ（オートフォーカス）処理、ＡＥ（自動露出）処理、ＡＷＢ（オートホワイトバランス）処理、ＥＦ（フラッシュプリ発光）処理等の動作開始を指示する。
【００５１】
また、６４はシャッタースイッチＳＷ２であり、シャッターボタンの操作完了でＯＮとなり、撮像素子１４から読み出した電荷信号をＡ／Ｄ変換器１６、メモリ制御回路２２を介してメモリ３０に画像データとして書き込む露光処理、画像処理回路２０やメモリ制御回路２２での演算を用いた現像処理、メモリ３０から画像データを読み出し、圧縮・伸長回路３２で圧縮を行い、記録媒体２００あるいは外部プリンタ２１０に画像データを書き込む記録処理という一連の処理の動作開始を指示する。
【００５２】
６６は画像表示ＯＮ／ＯＦＦスイッチであり、これにより、画像表示部２８のＯＮ／ＯＦＦを設定することができる。この画像表示ＯＮ／ＯＦＦスイッチ６６により、光学ファインダー１０４を用いて撮影を行う際に、画像表示部２８への電流供給を遮断することにより、電力消費を抑えることができる。
【００５３】
６８は単写／連写スイッチであり、これにより、シャッタースイッチＳＷ２がＯＮになった場合に１コマの撮影を行って待機状態とする単写モードと、シャッタースイッチＳＷ２がＯＮになっている間、連続して撮影を続ける連写モードとを切り換えることができる。
【００５４】
７０は各種ボタンやタッチパネル等からなる操作部であり、これには、メニューボタン、メニュー移動＋（プラス）ボタン、メニュー移動−（マイナス）ボタン、セットボタン、再生画像移動＋（プラス）ボタン、再生画像移動−（マイナス）ボタン、印刷ボタン、ＡＥＢボタン、ＩＳＯＢボタン、ＷＢＢボタン、単写／連写／セルフタイマー切替ボタン、画像表示部２８のＯＮ／ＯＦＦを設定する画像表示ＯＮ／ＯＦＦスイッチ、撮影直後に撮影した画像データを自動再生するクイックレビュー機能を設定するクイックレビューＯＮ／ＯＦＦスイッチ等がある。
【００５５】
また、本発明とは直接関係しないが、操作部７０には、マクロボタン、フラッシュ設定ボタン、撮影画質選択ボタン、日付／時間設定ボタン等が含まれる。
【００５６】
８０は電源制御部であり、電池検出回路、ＤＣ−ＤＣコンバータ、通電するブロックを切り替えるスイッチ回路等により構成されている。電源制御部８０は、電池の装着の有無、電池の種類、電池残量の検出を行い、検出結果及びシステム制御回路５０の指示に基づいてＤＣ−ＤＣコンバータを制御し、必要な電圧を必要な期間、記録媒体を含む各部へ供給する。
【００５７】
８２及び８４はコネクタである。８６は電源部であり、アルカリ電池やリチウム電池等の一次電池やＮｉＣｄ電池やＮｉＭＨ電池、Ｌｉ電池等の二次電池、ＡＣアダプター等からなる。
【００５８】
９０は記録媒体２００と接続するためのインタフェース（Ｉ／Ｆ）である。９２は記録媒体２００と接続するためのコネクタである。
【００５９】
９８はコネクタ９２に記録媒体２００が装着されているか否かを検知する、かつコネクタ９６に外部プリンタ２１０が装着されているか否かを検知する着脱検知部である。
【００６０】
９４は外部プリンタ２１０と接続するためのインタフェース（Ｉ／Ｆ）である。９６は外部プリンタ２１０と接続するためのコネクタである。このコネクタ９６は、例えば、ＵＳＢ、ＩＥＥＥ１３９４で実現される。
【００６１】
１０２は、画像処理装置１００のレンズ１０を含む撮像部を覆うことにより、該撮像部の汚れや破損を防止するバリア（保護部）である。
【００６２】
１０４は光学ファインダーである。この光学ファインダー１０４を利用することにより、画像表示部２８によって構成される電子ファインダー機能を利用することなく、撮影を行うことができる。また、光学ファインダー１０４内には、表示部５４の一部、例えば、合焦表示、手振れ警告表示、フラッシュ充電表示、シャッタースピード表示、絞り値表示、露出補正表示を行うための素子が配置されている。
【００６３】
１０６は画像表示部２８の画像表示部開閉検知部であり、画像表示部２８が、その表示面を画像処理装置１００の本体側に向けられた状態、即ち、格納状態にあるか否かを検知する。ここで、格納状態にあると検知された場合には、画像表示部２８の表示をＯＦＦ状態とすることにより、不要な電力消費を防止することができる。
【００６４】
２００は記録媒体であり、この記録媒体２００の一例には、着脱可能なＣＦ（コンパクトフラッシュ(登録商標））カード、マルチメディアカード、ＳＤカード、スマートメディア等の記録媒体がある。
【００６５】
２１０は外部プリンタである。この外部プリンタの印刷方式としては、例えば、インクジェット方式が挙げられるが、これ以外にも、レーザビーム方式、熱転写方式等の他の印刷方式を利用することが可能である。
【００６６】
２１２はコネクタ９６と外部プリンタ２１０を接続するためのケーブルである。
【００６７】
４００はフラッシュ装置である。４０２はフラッシュ装置４００を画像処理装置１００のコネクタ４８（アクセサリーシュー）と接続するためのコネクタである。４０４は発光部であり、ＡＦ補助光の投光機能、フラッシュ調光機能も有する。
【００６８】
次に、図２から図８を参照して、画像処理装置１００のの主ルーチンの動作を説明する。
【００６９】
図２〜図４は本発明の実施形態１に係る画像処理装置の主ルーチンを示すフローチャートである。
【００７０】
電池交換に伴う電源投入等に従って、システム制御回路５０は、ステップＳ１０１で、フラグや制御変数等を初期化する初期設定を実行する。ステップＳ１０２で、画像表示部２８の画像表示をＯＦＦ状態に初期設定する。
【００７１】
ステップＳ１０３で、システム制御回路５０は、モードダイヤルスイッチ６０の設定位置を判定する。
【００７２】
モードダイヤルスイッチ６０が電源ＯＦＦに設定されている場合、ステップＳ１０４に進み、終了処理を実行する。その後、ステップＳ１０３に戻る。
【００７３】
尚、この終了処理には、画像表示部２８及び表示部５４の各表示部の表示を終了状態に変更し、バリア（保護部）１０２を閉じて撮像部を保護し、フラグや制御変数等を含む必要なパラメータや設定値、設定モードを不揮発性メモリ５６に記録し、電源制御部８０により画像表示部２８を含む画像処理装置１００各部の不要な電源を遮断する等の処理が含まれる。
【００７４】
一方、モードダイヤルスイッチ６０が電源ＯＦＦ以外の状態に設定されている場合、ステップＳ１０５で、システム制御回路５０は、外部デバイスの初期設定を実行する。具体的には、システム制御回路５０は、着脱検知部（例えば、スイッチ）９８の状態を確認し、記録媒体２００が装着されている場合には、その初期設定を行う。
【００７５】
ステップＳ１０６で、システム制御回路５０は、モードダイヤルスイッチ６０によるモードの設定の状態を判定する。撮影モードに設定されている場合、ステップＳ１０８に進む。一方、再生モードに設定されている場合、ステップＳ１０７に進み、再生モード処理を実行する。尚、再生モード処理の詳細については、図９を用いて後述する。
【００７６】
ステップＳ１０８で、システム制御回路５０は、ＡＥＢ撮影を設定するためにＡＥＢボタンの状態を判定する。そして、ＡＥＢボタンが押下されている場合（ＯＮ）、ステップＳ１０９に進む。一方、ＡＥＢボタンが押下されていない場合（ＯＦＦ）、ステップＳ１１０に進む。
【００７７】
ステップＳ１０９で、ＡＥＢ撮影の設定を行う。その後、ステップＳ１０３に戻る。
【００７８】
尚、ＡＥＢ撮影とは、撮影条件（この場合、露出値）を段階的に切り替えながら連続して撮影する段階撮影（特に、この場合は、段階露出撮影）のことである。
【００７９】
実施形態１では、ＡＥＢボタンを押下するたびに、ＡＥＢ撮影解除→±１段のＡＥＢ撮影→±２段のＡＥＢ撮影→±３段のＡＥＢ撮影→ＡＥＢ撮影解除と言うように、循環式に変更するようにしている。
【００８０】
また、実施形態１のＡＥＢ撮影は、１枚目が適正露出、２枚目がアンダー露出、３枚目がオーバー露出の３枚連続撮影としている。
【００８１】
また、実施形態１のＡＥＢ撮影は、３枚連続撮影終了後は、自動的に解除するようにしている。
【００８２】
ステップＳ１１０で、システム制御回路５０は、単写撮影／連写撮影を設定する単写／連写スイッチ６８の設定状態を判定する。そして、単写撮影が選択されている場合、ステップＳ１１１に進み、単写／連写フラグを単写に設定する。一方、連写撮影が選択されている場合、ステップＳ１１２に進み、単写／連写フラグを連写に設定する。その後、処理は、ステップＳ１１３に進む。
【００８３】
尚、実施形態１では、単写／連写スイッチ６８により、シャッタースイッチＳＷ２がＯＮになった場合に１コマの撮影を行って待機状態となる単写モードと、シャッタースイッチＳＷ２がＯＮになっている間、連続して撮影を続ける連写モードとを任意に切り替えることができる。単写／連写フラグの状態は、システム制御回路５０の内部メモリあるいはメモリ５２に記憶される。
【００８４】
ステップＳ１１３で、システム制御回路５０は、表示部５４を用いて画像や音声により画像処理装置１００の各種設定状態の出力する。
【００８５】
尚、画像表示部２８の画像表示がＯＮである場合には、画像表示部２８をも利用して画像処理装置１００の各種設定状態の表示を行ってもよい。
【００８６】
ステップＳ１１４で、システム制御回路５０は、画像表示のＯＮ／ＯＦＦを切り換えるためのスイッチ６６の設定状態を判定する。画像表示がＯＮに設定されている場合、ステップＳ１１５に進む。
【００８７】
ステップＳ１１５で、システム制御回路５０は、画像表示部開閉検知部１０６により画像表示部２８が格納状態にあるか、表示可能状態（表示面が外部から見える状態）にあるかを判定する。そして、表示可能状態（開）にある場合、ステップＳ１１６に進み、画像表示フラグを設定する。次に、ステップＳ１１７で、画像表示部２８の画像表示をＯＮ状態に設定する。更に、ステップＳ１１８で、撮像中の画像を逐次表示するスルー表示状態に設定して、ステップＳ１１９に進む。
【００８８】
ここで、スルー表示状態においては、Ａ／Ｄ変換器１６、画像処理回路２０、メモリ制御回路２２を介して、画像表示メモリ２４に逐次書き込まれる、撮像素子１４から読み出された画像データを、メモリ制御回路２２、Ｄ／Ａ変換器２６を介して画像表示部２８に逐次供給し、表示画像を連続的に更新することにより、電子ファインダー機能が実現される。
【００８９】
一方、ステップＳ１１４で、画像表示ＯＮ／ＯＦＦスイッチ６６が画像表示がＯＦＦに設定されている場合、あるいはステップＳ１１５で、画像表示部２８が格納状態（閉）にある場合、ステップＳ１２０に進み、画像表示フラグを解除する。次に、ステップＳ１２１で、画像表示部２８の画像表示をＯＦＦ状態に設定して、ステップＳ１１９に進む。
【００９０】
ここで、画像表示のＯＦＦ状態では、画像表示部２８による電子ファインダー機能が利用できないため、光学ファインダー１０４を利用して撮影を行う必要がある。但し、この場合、電力消費量の大きい画像表示部２８やＤ／Ａ変換器２６等の消費電力を削減することができるという利点がある。
【００９１】
尚、画像表示フラグの状態は、システム制御回路５０の内部メモリあるいはメモリ５２に記憶される。
【００９２】
ステップＳ１１９で、シャッタースイッチＳＷ１の状態を判定する。シャッタースイッチＳＷ１がＯＦＦである場合、ステップＳ１０３に戻る。一方、シャッタースイッチＳＷ１がＯＮである場合、システム制御回路５０は、図３のステップＳ１３０に進む。
【００９３】
ステップＳ１３０で、システム制御回路５０の内部メモリあるいはメモリ５２に記憶される画像表示フラグの状態を判定する。そして、画像表示フラグが設定されている場合（ＯＮ）、ステップＳ１３１に進み、画像表示部２８の表示状態をフリーズ表示状態に設定して、ステップＳ１３２に進む。一方、画像表示フラグが解除されている場合（ＯＦＦ）、ステップＳ１３２に進む。
【００９４】
ここで、フリーズ表示状態においては、撮像素子１４から画像データを読み出して、これをＡ／Ｄ変換器１６、画像処理回路２０、メモリ制御回路２２を介して画像表示メモリ２４に書き込む動作、即ち、画像データの更新を中止する。そして、画像表示メモリ２４に最後に書き込まれた画像データを、メモリ制御回路２２、Ｄ／Ａ変換器２６を介して画像表示部２８により供給し続けることにより、フリーズした画像を電子ファインダーとしての画像表示部２８に表示する。
【００９５】
ステップＳ１３２で、システム制御回路５０は、測距処理を行って、撮影レンズ１０の焦点を被写体までの距離に応じて調整すると共に、測光処理を行って、絞り値及びシャッター時間を決定する。ここで、この測光処理では、必要であればフラッシュの設定も行う。尚、この測距・測光処理の詳細については、図５を用いて後述する。
【００９６】
ステップＳ１３３で、システム制御回路５０は、システム制御回路５０の内部メモリあるいはメモリ５２に記憶される画像表示フラグの状態を判定する。画像表示フラグが設定されている場合（ＯＮ）、ステップＳ１３４に進み、画像表示部２８の表示状態をスルー表示状態に設定して、ステップＳ１３５に進む。一方、画像表示フラグが解除されている場合（ＯＦＦ）、ステップＳ１３５に進む。
【００９７】
ステップＳ１３５で、シャッタースイッチＳＷ２の状態を判定する。シャッタースイッチＳＷ２がＯＦＦである場合、ステップＳ１３６に進み、シャッタースイッチＳＷ１の状態を判定する。そして、シャッタースイッチＳＷ１もＯＦＦである場合、ステップＳ１０３に戻る。
【００９８】
一方、ステップＳ１３５で、シャッタースイッチＳＷ２がＯＮである場合、ステップＳ１３７に進み、システム制御回路５０は、システム制御回路５０の内部メモリあるいはメモリ５２に記憶される画像表示フラグの状態を判定する。
【００９９】
そして、画像表示フラグが設定されている場合（ＯＮ）、ステップＳ１３８に進み、システム制御回路５０は、画像表示部２８の表示状態を固定色表示状態に設定して、図４のステップＳ１５０に進む。一方、ステップＳ１３７で、画像表示フラグが解除されている場合（ＯＦＦ）、図４のステップＳ１５０に進む。
【０１００】
ここで、固定色表示状態においては、Ａ／Ｄ変換器１６、画像処理回路２０、メモリ制御回路２２を介して画像表示メモリ２４に書込まれた撮像素子１４からの画像データに、固定色の画像データで上書きする。そして、この画像データをメモリ制御回路２２、Ｄ／Ａ変換器２６を介して画像表示部２８に供給することにより、固定色の画像を電子ファインダーとしての画像表示部２８に表示する。
【０１０１】
ステップＳ１５０で、システム制御回路５０は、ＡＥＢ撮影であるか否かを判定する。ＡＥＢ撮影である場合（ステップＳ１５０でＹＥＳ）、ステップＳ１８０に進む。一方、ＡＥＢ撮影でない場合（ステップＳ１５０でＮＯ）、ステップＳ１５１に進む。
【０１０２】
ステップＳ１５１で、システム制御回路５０は、システム制御回路５０の内部メモリあるいはメモリ５２に記憶される単写／連写フラグの状態を判定する。単写フラグが設定されている場合、ステップＳ１５２に進む。一方、連写フラグが設定されている場合、ステップＳ１８０に進む。
【０１０３】
ステップＳ１５２で、システム制御回路５０は、撮影処理を実行する。この撮影処理は、撮像素子１４による撮像に係る画像データを、Ａ／Ｄ変換器１６、画像処理回路２０及びメモリ制御回路２２を介して、あるいはＡ／Ｄ変換器及びメモリ制御回路２２を介して、メモリ３０に書き込む露光処理、並びに、メモリ制御回路２２及び必要に応じて画像処理回路２０を用いてメモリ３０に書き込まれた画像データを読み出して各種処理を行う現像処理からなる撮影処理を実行する。尚、この撮影処理の詳細については、図６を用いて後述する。
【０１０４】
ステップＳ１５３で、システム制御回路５０は、システム制御回路５０の内部メモリあるいはメモリ５２に記憶される画像表示フラグの状態を判定する。そして、画像表示フラグが設定されている場合（ＯＮ）、ステップＳ１５４に進む。
【０１０５】
ステップＳ１５４で、メモリ３０から画像データを読み出して、これを画像表示部２８の表示形式に適合させて、メモリ制御回路２２を介して画像表示メモリ２４に転送し、画像表示部２８に画像を表示する。この表示は、第１のクイックレビュー表示である。この第１のクイックレビュー表示は、ダーク取込処理（ステップＳ１５５）が行われる前、即ち、ダーク補正演算を行う前の画像データに基づいて実行される。
【０１０６】
このように、単写モードにおいては、以下のステップＳ１５５のダーク取込処理よりも撮影処理を先に行い、かつ、第１のクイックレビュー表示のためにダーク補正演算の前の画像データを用いることにより、シャッターレリーズタイムラグを短くすると共に、撮影後に速やかにクイックレビュー表示を行うことが可能となる。
【０１０７】
尚、第１のクイックレビュー表示（ステップＳ１５４）においては、まだダーク取込処理（ステップＳ１５５）を終えていない状態であるため、画像表示部２８によって表示されるクイックレビュー画像に、例えば「ｂｕｓｙ」等の文字表示を重ねて表示し、その旨を明示することが好ましい。
【０１０８】
一方、ステップＳ１５３で、画像表示フラグが解除されている場合（ＯＦＦ）、画像表示部２８がＯＦＦの状態のまま、ステップＳ１５５に進む。この場合は、撮影を行った後でも画像表示部２８は消えたままであり、クイックレビュー表示も行われない。これは、光学ファインダー１０４を用いて撮影を続ける場合のように、撮影直後の撮影画像の確認が不要で、画像表示部２８の電子ファインダー機能を使用せずに省電力を重視する使用方法を意図したものである。
【０１０９】
ステップＳ１５５で、システム制御回路５０は、ダーク取込処理を実行する。これは、シャッター１２を閉じた状態で撮像素子１４の暗電流等のノイズ成分を本撮影と同じ時間蓄積し、蓄積を終了したノイズ画像信号を読み出す処理である。
【０１１０】
このダーク取込処理で取り込んだダーク画像データを用いて補正演算処理を行うことにより、撮像素子１４の発生する暗電流ノイズや撮像素子１４固有のキズによる画素欠損等の画質劣化を低減することができる。尚、このダーク取込処理の詳細については、図７を用いて後述する。
【０１１１】
ステップＳ１５６で、システム制御回路５０は、現像処理を実行する。
【０１１２】
この現像処理は、メモリ３０の所定領域へ書き込まれた画像データの一部をメモリ制御回路２２を介して読み出して、現像処理を行うために必要なＷＢ（ホワイトバランス）積分演算処理、ＯＢ（オプティカルブラック）積分演算処理を行い、その演算結果をシステム制御回路５０の内部メモリあるいはメモリ５２に記憶する。
【０１１３】
その後、システム制御回路５０は、メモリ制御回路２２、及び必要に応じて画像処理回路２０を用いて、メモリ３０の所定領域に書き込まれた撮影画像データを読み出して、システム制御回路５０の内部メモリあるいはメモリ５２に記憶した演算結果を用いて、ＡＷＢ（オートホワイトバランス）処理、ガンマ変換処理、色変換処理を含む各種現像処理を実行する。
【０１１４】
また、現像処理においては、ダーク取込処理において取り込んだダーク画像データを用いて減算処理を行うことにより、撮像素子１４の暗電流ノイズ等を打ち消すダーク補正演算処理も併せて行う。尚、この現像処理の詳細については、図８を用いて後述する。
【０１１５】
ステップＳ１５７で、システム制御回路５０は、メモリ３０の所定領域に書き込まれた画像データを読み出して、設定されたモードに応じた画像圧縮処理を圧縮・伸長回路３２により行い、その圧縮した画像データをメモリ３０の画像記憶バッファ領域の空き画像部分に書込む。
【０１１６】
ステップＳ１５８で、システム制御回路５０は、メモリ３０の画像記憶バッファ領域に記憶した画像データを読み出して、インタフェース９０、コネクタ９２を介して、記録媒体２００に書込を行う記録処理を行う。
【０１１７】
ここで、記録処理で記録される画像ファイルの形態について、図１１を用いて説明する。
【０１１８】
図１１は本発明の実施形態１に係る画像ファイルの形態を示す図である。
【０１１９】
画像ファイルの形態は、シャッター速度、絞り値、日付、ＡＥＢ撮影情報（非ＡＥＢ、ＡＥＢ撮影時の１枚目、２枚目、３枚目いずれかを示す情報）等を含む撮影情報データと、サムネイル画像データ、本画像データから構成される。
【０１２０】
ここで、記録処理の実行中は、例えば、表示部５４においてＬＥＤを点滅させるなどしてその旨を明示することが好ましい。
【０１２１】
ステップＳ１５９で、システム制御回路５０は、システム制御回路５０の内部メモリあるいはメモリ５２に記憶される画像表示フラグの状態を判定する。そして、画像表示フラグが設定されている場合（ＯＮ）、ステップＳ１６０に進み、メモリ３０から画像データを読み出して、これを画像表示部２８の表示形式に適合させて、メモリ制御回路２２を介して画像表示メモリ２４に転送し、画像表示部２８に画像を表示する。この表示は、第２のクイックレビュー表示である。
【０１２２】
この第２のクイックレビュー表示（ステップＳ１６０）の段階では、既にダーク取込処理（ステップＳ１５５）が実行された後であるため、現像処理（ステップＳ１５６）においてダーク補正演算を行った後の画像データを用いて表示用の画像データを作成し、クイックレビュー表示を行う。
【０１２３】
このように、単写モードにおいては、まずダーク取込処理よりも撮影処理を先に行い、且つ、ダーク補正前の画像データを用いて第１のクイックレビュー表示を行い、ダーク取込処理を行った後はダーク補正後の画像データを用いて第２のクイックレビュー表示を行う。これにより、シャッターレリーズタイムラグを短くすると共に、撮影後に速やかにクイックレビュー表示を行うことができる。
【０１２４】
尚、第２のクイックレビュー表示（ステップＳ１６０）においては、既にダーク取込処理（ステップＳ１５５）を終了した状態であるため、第１のクイックレビュー表示（ステップＳ１５４）においてクイックレビュー画像に重ねて画像表示部２８に表示した「ｂｕｓｙ」等の文字表示を消去する。
【０１２５】
一方、ステップＳ１５９で、画像表示フラグが解除されている場合（ＯＦＦ）、画像表示部２８がＯＦＦ状態のまま、ステップＳ１６１に進む。この場合は、撮影を行った後でも画像表示部２８は消えたままであり、クイックレビュー表示も行われない。これは、光学ファインダー１０４を用いて撮影を続ける場合のように、撮影直後の撮影画像の確認が不要で、画像表示部２８の電子ファインダー機能を使用せずに省電力を重視する使用方法を意図したものである。
【０１２６】
ステップＳ１６１で、シャッタースイッチＳＷ１の状態を判定する。シャッタースイッチＳＷ１がＯＮである場合、ＯＦＦになるまで待機する。一方、シャッタースイッチＳＷ１がＯＦＦである場合、ステップＳ１６２に進む。
【０１２７】
一方、ステップＳ１５０で、ＡＥＢ撮影である場合（ステップＳ１５０でＹＥＳ）、ステップＳ１８０に進む。また、ステップＳ１５１で、連写フラグが設定されている場合、ステップＳ１８０に進む。
【０１２８】
そして、ステップＳ１８０で、システム制御回路５０は、シャッター１２を閉じた状態で撮像素子１４の暗電流等のノイズ成分を本撮影と同じ時間蓄積し、蓄積を終了したノイズ画像信号を読み出すダーク取込処理を実行する。
【０１２９】
このダーク取込処理で取り込んだダーク画像データを用いて補正演算処理を行うことにより、撮像素子１４の発生する暗電流ノイズや撮像素子１４固有のキズによる画素欠損等の画質劣化を低減することができる。このダーク取込処理（ステップＳ１８０）は、ステップＳ１５５と同様であり、その詳細については図７を用いて後述する。
【０１３０】
ステップＳ１８１で、システム制御回路５０は、撮影処理を実行する。この撮影処理は、撮像素子１４に撮像に係る画像データを、Ａ／Ｄ変換器１６、画像処理回路２０、メモリ制御回路２２を介して、あるいはＡ／Ｄ変換器及びメモリ制御回路２２を介して、メモリ３０に書き込む露光処理、並びに、メモリ制御回路２２及び必要に応じて画像処理回路２０を用いて、メモリ３０に書き込まれた画像データを読み出して各種処理を行う現像処理からなる。この撮影処理（ステップＳ１８１）は、ステップＳ１５２と同様であり、その詳細については、図６を用いて後述する。
【０１３１】
ステップＳ１８２で、システム制御回路５０は、現像処理を実行する。
【０１３２】
この現像処理は、メモリ３０の所定領域へ書き込まれた画像データの一部をメモリ制御回路２２を介して読み出して、現像処理を行うために必要なＷＢ（ホワイトバランス）積分演算処理、ＯＢ（オプティカルブラック）積分演算処理を行い、演算結果をシステム制御回路５０の内部メモリあるいはメモリ５２に記憶する。
【０１３３】
その後、システム制御回路５０は、メモリ制御回路２２、及び必要に応じて画像処理回路２０を用いて、メモリ３０の所定領域に書き込まれた撮影画像データを読み出して、システム制御回路５０の内部メモリあるいはメモリ５２に記憶した演算結果を用いて、ＡＷＢ（オートホワイトバランス）処理、ガンマ変換処理、色変換処理を含む各種現像処理を行う。
【０１３４】
また、現像処理においては、ダーク取込処理において取り込んだダーク画像データを用いて減算処理を行うことにより、撮像素子１４の暗電流ノイズ等を打ち消すダーク補正演算処理も併せて行う。この現像処理（ステップＳ１８２）は、ステップＳ１５６と同様であり、その詳細については、図８を用いて後述する。
【０１３５】
ステップＳ１８３で、システム制御回路５０は、システム制御回路５０の内部メモリあるいはメモリ５２に記憶される画像表示フラグの状態を判定する。そして、画像表示フラグが設定されている場合（ＯＮ）、ステップＳ１８４に進み、メモリ３０から画像データを読み出して、これを画像表示部２８の表示形式に適合させて、メモリ制御回路２２を介して画像表示メモリ２４に転送し、画像表示部２８に画像を表示する。この表示は、第３のクイックレビュー表示である。
【０１３６】
この第３のクイックレビュー表示処理は、ダーク取込処理（ステップＳ１８０）が実行された後であるため、現像処理（ステップＳ１８２）においてダーク補正演算を行った後の画像データを用いて表示用の画像データを作成し、その画像データに従って実行される。
【０１３７】
このように、連写モードにおいては、ダーク補正後の画像データを用いてクイックレビュー表示を行うことにより、１枚目と２枚目以降の連写コマ間隔をほぼ一定に揃えると共に、撮影後直ぐにクイックレビュー表示を行うことが可能となる。
【０１３８】
ステップＳ１８３で、画像表示フラグが解除されている場合（ＯＦＦ）、画像表示部２８がＯＦＦの状態のまま、ステップＳ１８５に進む。この場合は、撮影を行った後でも画像表示部２８は消えたままであり、クイックレビュー表示も行われない。これは、光学ファインダー１０４を用いて撮影を続ける場合のように、撮影直後の撮影画像の確認が不要で、画像表示部２８の電子ファインダー機能を使用せずに省電力を重視する使用方法を意図したものである。
【０１３９】
ステップＳ１８５で、システム制御回路５０は、メモリ３０の所定領域に書き込まれた画像データを読み出して、設定されたモードに応じた画像圧縮処理を圧縮・伸長回路３２により行い、その圧縮した画像データをメモリ３０の画像記憶バッファ領域の空き画像部分に書込む。
【０１４０】
ステップＳ１８６で、システム制御回路５０は、メモリ３０の画像記憶バッファ領域に記憶した画像データを読み出して、インタフェース９０、コネクタ９２を介して、記録媒体２００に書込を行う記録処理を行う。
【０１４１】
尚、記録処理で記録される画像ファイルの形態は、図１１に示す通りである。
【０１４２】
ここで、記録処理の実行中は、例えば、表示部５４においてＬＥＤを点滅させるなどしてその旨を明示することが好ましい。
【０１４３】
ステップＳ１８７で、ＡＥＢ撮影であるか否かを判定する。ＡＥＢ撮影である場合（ステップＳ１８７でＹＥＳ）、ステップＳ１９０に進む。一方、ＡＥＢ撮影でない場合（ステップＳ１８７でＮＯ）、ステップＳ１８８に進む。
【０１４４】
ステップＳ１８８で、シャッタースイッチＳＷ２の状態を判定する。シャッタースイッチＳＷ２がＯＮである場合、ステップＳ１８１に戻り、一連の連写撮影を繰り返す。
【０１４５】
一方、シャッタースイッチＳＷ２がＯＦＦである場合、ステップＳ１８９に進み、システム制御回路５０は、シャッタースイッチＳＷ１の状態を判定する。そして、シャッタースイッチＳＷ１がＯＮである場合、システム制御回路５０は、ステップＳ１８８に戻る。一方、シャッタースイッチＳＷ１がＯＦＦである場合、ステップＳ１６２に進む。
【０１４６】
ステップＳ１６２で、システム制御回路５０は、システム制御回路５０の内部メモリあるいはメモリ５２に記憶される画像表示フラグの状態を判定する。画像表示フラグが設定されている場合（ＯＮ）、ステップＳ１６３に進み、画像表示部２８の表示状態をスルー表示状態に設定して、一連の撮影動作を終了して、ステップＳ１０３に戻る。
【０１４７】
これにより、画像表示部２８でのクイックレビュー表示によって使用者が撮影画像を確認した後に、表示状態を次の撮影のために撮像された画像を逐次表示するスルー表示状態に移行させることができる。
【０１４８】
一方、ステップＳ１６２で、画像表示フラグが解除されている場合（ＯＦＦ）、画像表示部２８の画像表示をＯＦＦ状態に設定して、一連の撮影動作を終了して、ステップＳ１０３に戻る。
【０１４９】
一方、ステップＳ１８７で、ＡＥＢ撮影である場合（ステップＳ１８７でＹＥＳ）、ステップＳ１９０に進み、ＡＥＢ撮影の３枚連続撮影が終了したか否かを判定する。ＡＥＢ撮影の３枚連続撮影が終了している場合（ステップＳ１９０でＹＥＳ）、ステップＳ１９１に進む。一方、ＡＥＢ撮影の３枚連続撮影が終了していない場合（ステップＳ１９０でＮＯ）、ステップＳ１９２に進む。
【０１５０】
ステップＳ１９１で、ＡＥＢ撮影の３枚連続撮影が終了したので、ＡＥＢ撮影を解除して、ステップＳ１６２に進む。
【０１５１】
ステップＳ１９２で、ＡＥＢ撮影における段階露出撮影を実現するための露出演算を行い、その後、ステップＳ１８１に戻り、次の撮影を継続する。
【０１５２】
ここでの露出演算とは、２枚の撮影時は設定段数分だけ露出をアンダー側にシフトさせ、３枚目の撮影時は設定段数分だけ露出をオーバー側にシフトさせる演算である。
【０１５３】
次に、図３のステップＳ１３２における測距・測光処理の詳細について、図５を用いて説明する。
【０１５４】
図５は本発明の実施形態１に係る図３のステップＳ１３２の測距・測光処理の詳細を示すフローチャートである。
【０１５５】
ステップＳ２０１で、システム制御回路５０は、撮像素子１４から電荷信号を読み出し、Ａ／Ｄ変換器１６を介して画像データとして画像処理回路２０に逐次読み込む。この逐次読み込まれた画像データを用いて、画像処理回路２０はＴＴＬ（スルー・ザ・レンズ）方式のＡＥ（自動露出）処理、ＥＦ（フラッシュプリ発光）処理、ＡＦ（オートフォーカス）処理に用いる所定の演算を行う。
【０１５６】
尚、上記の各処理では、撮影した全画素数のうちの必要な部分を切り取るようにして抽出して演算に用いる。これにより、ＴＴＬ方式のＡＥ、ＥＦ、ＡＷＢ、ＡＦの各処理において、中央重点モード、平均モード、評価モードの各モードに適合した最適な演算を行うことできる。
【０１５７】
ステップＳ２０２で、画像処理回路２０での演算結果に基づいて、システム制御回路５０は、露出（ＡＥ）が適正（ＯＫ）であるか否かを判定する。適正でない場合（ステップＳ２０２でＮＯ）、ステップＳ２０３に進み、露光制御部４０にＡＥ制御を実行させる。
【０１５８】
ステップＳ２０４で、ＡＥ制御で得られた測定データを用いて、システム制御回路５０はフラッシュの発光が必要であるか否かを判定する。フラッシュの発光が必要でない場合（ステップＳ２０４でＮＯ）、ステップＳ２０１に戻る。一方、フラッシュの発光が必要である場合（ステップＳ２０４でＹＥＳ）、ステップＳ２０５に進み、フラッシュフラグをセットして、フラッシュ装置４００を充電する。
【０１５９】
一方、ステップＳ２０２で、露出（ＡＥ）が適正である場合（ステップＳ２０２でＹＥＳ）、測定データ及び設定パラメータの少なくとも一方を、システム制御回路５０の内部メモリあるいはメモリ５２に記憶する。
【０１６０】
その後、ステップＳ２０６で、画像処理回路２０での演算結果及びＡＥ制御で得られた測定データを用いて、システム制御回路５０は、ホワイトバランス（ＡＷＢ）が適正（ＯＫ）であるか否かを判定する。適正でない場合（ステップＳ２０６でＮＯ）、ステップＳ２０７に進み、画像処理回路２０に、色処理のパラメータを調節するＡＷＢ制御を実行させる。
【０１６１】
一方、ステップＳ２０６で、ホワイトバランス（ＡＷＢ）が適正である場合（ステップＳ２０６でＹＥＳ）、ステップＳ２０８に進み、測定データ及び設定パラメータの少なくとも一方を、システム制御回路５０の内部メモリあるいはメモリ５２に記憶する。
【０１６２】
ステップＳ２０８で、ＡＥ制御及びＡＷＢ制御で得られた測定データを用いて、システム制御回路５０は測距（ＡＦ）の結果が合焦状態（ＯＫ）であるか否かを判定する。合焦状態でない場合（ステップＳ２０８でＮＯ）、ステップＳ２０９に進み、測距制御部４２にＡＦ制御を実行させる。
【０１６３】
一方、ステップＳ２０８で、測距（ＡＦ）の結果が合焦状態である場合（ステップＳ２０８でＹＥＳ）、測定データ及び設定パラメータの少なくとも一方をシステム制御回路５０の内部メモリあるいはメモリ５２に記憶し、測距・測光処理（ステップＳ１３２）を終了する。
【０１６４】
次に、図４のステップＳ１５２あるいはステップＳ１８１における撮影処理の詳細について、図６を用いて説明する。
【０１６５】
図６は本発明の実施形態１に係る図４のステップＳ１５２あるいはステップＳ１８１における撮影処理の詳細を示すフローチャートである。
【０１６６】
まず、ステップＳ３０１で、システム制御回路５０は、撮像素子（ＣＣＤ）１４の電荷クリア動作を行う。ステップＳ３０２で、撮像素子１４の電荷蓄積を開始する。ステップＳ３０３で、シャッター制御部４０によってシャッター１２を開く。ステップＳ３０４で、撮像素子１４の露光を開始する。
【０１６７】
ステップＳ３０５で、フラッシュフラグを参照して、フラッシュの発光が必要であるか否かを判定する。フラッシュの発光が必要である場合（ステップＳ３０５でＹＥＳ）、ステップＳ３０６に進み、フラッシュ装置４００を発光させる。一方、フラッシュの発光が必要でない場合（ステップＳ３０５でＮＯ）、つまり、フラッシュ装置４００を使用しない場合、ステップＳ３０７に進む。
【０１６８】
ステップＳ３０７で、システム制御回路５０は、測光データに従った撮像素子１４の露光終了であるか否かを判定する。露光終了でない場合（ステップＳ３０７でＮＯ）、露光終了を待機する。一方、露光終了である場合（ステップＳ３０７でＹＥＳ）、ステップＳ３０８に進み、シャッター制御部４０によってシャッター１２を閉じて、撮像素子１４の露光を終了する。
【０１６９】
ステップＳ３０９で、設定された電荷蓄積時間が経過しているか否かを判定する。経過していない場合（ステップＳ３０９でＮＯ）、電荷蓄積時間が経過するまで待機する。一方、電荷蓄積時間が経過した場合（ステップＳ３０９でＹＥＳ）、ステップＳ３１０に進み、システム制御回路５０は、撮像素子１４による電荷蓄積を終了する。
【０１７０】
ステップＳ３１１で、撮像素子１４から電荷信号を読み出し、Ａ／Ｄ変換器１６、画像処理回路２０、メモリ制御回路２２を介して、あるいはＡ／Ｄ変換器１６及びメモリ制御回路２２を介して、撮影画像データとしてメモリ３０の所定領域に書き込む。一連の処理を終了したならば、撮影処理（ステップＳ１５２あるいはステップＳ１８１）を終了する。
【０１７１】
次に、図４のステップＳ１５５あるいはステップＳ１８０におけるダーク取込処理の詳細について、図７を用いて説明する。
【０１７２】
図７は本発明の実施形態１に係る図４のステップＳ１５５あるいはステップＳ１８０におけるダーク取込処理の詳細を示すフローチャートである。
【０１７３】
ステップＳ４０１で、システム制御回路５０は、撮像素子１４の電荷クリア動作を実行する。ステップＳ４０２で、シャッター１２が閉じた状態で、撮像素子１４の電荷蓄積を開始する。
【０１７４】
ステップＳ４０３で、設定された所定の電荷蓄積時間が経過ているか否かを判定する。経過していない場合（ステップＳ４０３でＮＯ）、電荷蓄積時間が経過するまで待機する。一方、電荷蓄積時間が経過している場合（ステップＳ４０３でＹＥＳ）、ステップＳ４０４に進み、システム制御回路５０は、撮像素子１４の電荷蓄積を終了させる。
【０１７５】
そして、ステップＳ４０５で、撮像素子１４から電荷信号を読み出し、Ａ／Ｄ変換器１６、画像処理回路２０、メモリ制御回路２２を介して、あるいはＡ／Ｄ変換器１６及びメモリ制御回路２２を介して、ダーク画像データとしてメモリ３０の所定領域に書き込む。
【０１７６】
このダーク画像データを用いて現像処理を行うことにより、撮像素子１４の発生する暗電流ノイズや撮像素子１４固有のキズによる画素欠損等の画質劣化を低減することができる。
【０１７７】
尚、このダーク画像データは、新たにダーク取込処理が行われるか、画像処理装置１００の電源がＯＦＦにされるまで、メモリ３０の所定領域に保持される。
【０１７８】
あるいは、メモリ３０の一部あるいは全部をＥＥＰＲＯＭやハードディスク等の不揮発性メモリで構成して、ダーク画像データを該不揮発性メモリに書き込む構成を採用することにより、新たにダーク取込処理が行われるまで、このダーク画像データを保存してもよい。
【０１７９】
このダーク画像データは、撮影に係る画像を撮像素子１４より読み出して現像処理を行う際に用いられる。
【０１８０】
一連の処理を終了したならば、ダーク取込処理（ステップＳ１５５あるいはステップＳ１８０）を終了する。
【０１８１】
次に、図４のステップＳ１５６あるいはステップＳ１８２における現像処理の詳細について、図８を用いて説明する。
【０１８２】
図８は本発明の実施形態１に係る図４のステップＳ１５６あるいはステップＳ１８２における現像処理の詳細を示すフローチャートである。
【０１８３】
ステップＳ５０１で、システム制御回路５０は、メモリ３０に書き込まれた撮影画像データ及びダーク画像データを読み出して、輝度信号処理を実行する。ステップＳ５０２で、色処理を実行する。ステップＳ５０３で、サムネイル画像処理を実行する。その後、メモリ３０に処理後の画像データを書き込む。一連の処理を終了したならば、現像処理（ステップＳ１５６あるいはステップＳ１８２）を終了する。
【０１８４】
次に、図２のステップＳ１０７における再生モード処理の詳細について、図９を用いて説明する。
【０１８５】
図９は本発明の実施形態１に係る図２のステップＳ１０７における再生モード処理の詳細を示すフローチャートである。
【０１８６】
尚、実施形態１では、再生対象の画像が印刷対象の画像になる。
【０１８７】
まず、ステップＳ６０１で、システム制御回路５０は、指定画像を最新（最後）画像に設定する。この処理は、再生モードを起動した時の再生画像を最新画像にするためである。
【０１８８】
ステップＳ６０２で、ステップＳ６０１で指定された画像ファイルを記録媒体２００から読み出し、メモリ３０に格納する。
【０１８９】
ステップＳ６０３で、メモリ３０から画像データを読み出して、これを画像表示部２８の表示形式に適合させて、メモリ制御回路２２を介して画像表示メモリ２４に転送し、画像表示部２８に画像を表示する。
【０１９０】
ステップＳ６０４で、再生画像移動＋ボタンの状態を判定する。再生画像移動＋ボタンがＯＮである場合、ステップＳ６０５に進む。一方、再生画像移動＋ボタンがＯＦＦである場合、ステップＳ６０６に進む。
【０１９１】
ステップＳ６０５で、指定画像が最新画像であるか否かを判定する。指定画像が最新画像である場合（ステップＳ６０５でＹＥＳ）、ステップＳ６０８に進む。一方、指定画像が最新画像でない場合（ステップＳ６０５でＮＯ）、ステップＳ６０９に進む。
【０１９２】
ステップＳ６０６で、再生画像移動−ボタンの状態を判定する。再生画像移動−ボタンがＯＮである場合、ステップＳ６０７に進む。一方、再生画像移動−ボタンがＯＦＦである場合、ステップＳ６１２に進む。
【０１９３】
ステップＳ６０７で、指定画像が先頭（最古）画像であるか否かを判定する。指定画像が先頭画像である場合（ステップＳ６０７でＹＥＳ）、ステップＳ６１０に進む。一方、指定画像が先頭画像でない場合（ステップＳ６０７でＮＯ）、ステップＳ６１１に進む。
【０１９４】
ステップＳ６０８で、指定画像を先頭画像に変更し、ステップＳ６１２に進む。ステップＳ６０９で、指定画像を１つだけ最新側に変更し、ステップＳ６１２に進む。ステップＳ６１０で、指定画像を最新画像に変更し、ステップＳ６１２に進む。ステップＳ６１１で、指定画像を１つだけ先頭側に変更し、ステップＳ６１２に進む。
【０１９５】
ステップＳ６１２で、ステップＳ６０８からステップＳ６１１のいずれかにおいて指定された指定画像の画像ファイルを読み出し、メモリ３０に格納する。
【０１９６】
ステップＳ６１３で、メモリ３０から画像データを読み出して、これを画像表示部２８の表示形式に適合させて、メモリ制御回路２２を介して画像表示メモリ２４に転送し、画像表示部２８に画像を表示する。
【０１９７】
ステップＳ６１４で、印刷ボタンの状態を判定する。印刷ボタンがＯＮである場合、ステップＳ６１５に進む。一方、印刷ボタンがＯＦＦである場合、ステップＳ６１８に進む。
【０１９８】
ステップＳ６１５で、外部プリンタ２１０が接続されているか否かを判定する。外部プリンタ２１０が接続されている場合、ステップＳ６１６に進む。一方、外部プリンタ２１０が接続されていない場合、ステップＳ６１７に進む。
【０１９９】
ステップＳ６１６で、画像処理装置１００に接続された外部プリンタ２１０を用いた印刷処理を行う。尚、印刷処理の詳細については、図１０を用いて後述する。
【０２００】
ステップＳ６１７で、外部プリンタ２００を接続していない状態では印刷できないことを通知する警告を行う。この警告は、表示部５４を利用して画像や音声により所定の警告を実行する。
【０２０１】
ステップＳ６１８で、モードダイヤル６０の設定位置を判定する。
【０２０２】
モードダイヤルスイッチ６０が再生モードに設定されている場合、ステップＳ６０４に戻る。一方、モードダイヤルスイッチ６０が再生モード以外の位置に変更されている場合、再生モード処理を終了する。
【０２０３】
次に、図９のステップＳ６１６における印刷処理の詳細について、図１０を用いて説明する。
【０２０４】
図１０は本発明の実施形態１に係る図９のステップＳ６１６における印刷処理の詳細を示すフローチャートである。
【０２０５】
まず、ステップＳ７０１で、システム制御回路５０は、指定画像がＡＥＢ撮影された画像であるか否かを判定する。ＡＥＢ撮影された画像でない場合（ステップＳ７０１でＮＯ）、ステップＳ７０２に進む。
【０２０６】
尚、ＡＥＢ撮影された画像であるか否かの判定は、画像ファイル中の撮影情報の中に含まれている情報に基づいて実行する。
【０２０７】
ステップＳ７０２で、「指定画像のみ印刷」だけが選択可能な状態であることを示す表示画面を画像表示部２８に表示する。ここで、セットボタンが押下されると、ステップＳ７０７に進む。
【０２０８】
一方、ステップＳ７０１で、指定画像がＡＥＢ撮影された画像である場合（ステップＳ７０１でＹＥＳ）、ステップＳ７０３に進み、ＡＥＢ撮影された１組分（３枚）の画像ファイルを記録媒体２００から読み出し、メモリ３０に格納する。尚、ステップＳ７０３の処理は、指定画像がＡＥＢ撮影された画像の場合に実行される。
【０２０９】
ここで、指定画像がＡＥＢ撮影の１枚目の画像である場合は、指定画像の後に続く２枚分の画像ファイルも読み出す。また、指定画像がＡＥＢ撮影の２枚目の画像である場合は、指定画像の前と後に位置する２枚分の画像ファイルも読み出す。更に、指定画像がＡＥＢ撮影の３枚目の画像である場合は、指定画像の前にある２枚分の画像ファイルも読み出す。
【０２１０】
ステップＳ７０４からステップＳ７０６では、ＡＥＢ撮影された画像を印刷する場合の印刷方式を選択する処理を行う。
【０２１１】
ステップＳ７０４で、「指定画像のみ印刷」の表示画面を画像表示部２８に表示する。この状態で、メニュー移動＋ボタンを押下すると、ステップＳ７０５に進み、「ＡＥＢ撮影画像１組分一括印刷（インデックス）」の表示画面に切り替わる。更に、この状態で、メニュー移動＋ボタンを押下すると、ステップＳ７０６に進み、「ＡＥＢ撮影画像１組分一括印刷（３枚連続）」の表示画面に切り替わる。
【０２１２】
一方、ステップＳ７０６の状態で、メニュー移動−ボタンを押下すると、ステップＳ７０５に進み、「ＡＥＢ撮影画像１組分一括印刷（インデックス）」の表示画面に切り替わる。更に、メニュー移動−ボタンを押下すると、ステップＳ７０２に進み、「指定画像のみ印刷」」の表示画面に切り替わる。
【０２１３】
このように、メニュー移動＋ボタンとメニュー移動−ボタンで、ＡＥＢ撮影された画像の印刷方式を任意に切り替えることができ、各表示画面のいずれかの状態でセットボタンを押下すると、その押下した時の状態の表示画面で特定される印刷方式が確定する。
【０２１４】
「指定画像のみ印刷」の表示画面の状態で確定操作がなされた場合、ステップＳ７０７で、第１印刷モードとして、印刷方式を「ノーマル」に指定し、ステップＳ７１０に進む。
【０２１５】
「ＡＥＢ撮影画像１組分括印刷（インデックス）」の表示画面の状態で確定操作がなされた場合、ステップＳ７０８で、第２印刷モードの第１サブ印刷モードとして、印刷方式を「インデックス」に指定し、ステップＳ７１０に進む。
【０２１６】
「ＡＥＢ撮影画像１組分括印刷（３枚連続）」の表示画面の状態で確定操作がなされた場合、ステップＳ７０９で、第２印刷モードの第２サブ印刷モードとして、印刷方式を「３枚連続」に指定し、ステップＳ７１０に進む。
【０２１７】
ここで、第１印刷モードは、単純に指定画像のみを外部プリンタ２１０でダイレクトプリントするために、その指定画像を外部プリンタ２１０に出力する印刷モードである。この場合、指定画像を１枚の印刷用紙に外部プリンタ２１０で印刷させる。
【０２１８】
また、第２印刷モードは、指定画像を含む段階撮影（この場合、ＡＥＢ撮影）によって撮影された一連の撮影画像群を外部プリンタ２１０でダイレクトプリントするために、その指定画像を含む一連の段階撮影画像群を外部プリンタ２１０に出力する印刷モードである。
【０２１９】
そして、この第２印刷モードは、更に、２種類のサブ印刷モードが用意されている。
【０２２０】
第２印刷モードの第１サブ印刷モードは、１連の段階撮影画像群それぞれのサムネイル画像で構成されるインデックス画像を１枚の印刷用紙に外部プリンタ２１０で印刷させる。
【０２２１】
また、第２印刷モードの第２サブ印刷モードは、１連の段階撮影画像群それぞれの画像が別々の印刷用紙に外部プリンタ２１０で印刷させる。
【０２２２】
ステップＳ７１０及びステップＳ７１１では、印刷するか否かを選択する処理を行う。
【０２２３】
ステップＳ７１１で、メニュー移動＋ボタンを押下すると、表示画面が「ＹＥＳ」に切り替わる（ステップＳ７１０）。一方、ステップＳ７１０で、メニュー移動−ボタンを押下すると、表示画面が「ＮＯ」に切り替わる（ステップＳ７１１）。
【０２２４】
そして、「ＮＯ」の表示画面の状態でセットボタンを押下すると、印刷を実行せずに、印刷処理を終了する。一方、「ＹＥＳ」の表示画面の状態でセットボタンを押下すると、ステップＳ７１２に進む。
【０２２５】
ステップＳ７１２以降で、指定された印刷方式に応じた印刷処理を実行する。
【０２２６】
印刷方式が「ノーマル」の場合（第１印刷モード）、ステップＳ７１３に進む。また、印刷方式が「インデックス」の場合（第２印刷モード）、ステップＳ７１４に進む。また、印刷方式が「３枚連続」の場合（第３印刷モード）、ステップＳ７１５に進む。
【０２２７】
ステップＳ７１３で、指定画像のみを印刷し、印刷処理を終了する。
【０２２８】
詳しくは、システム制御回路５０は、メモリ３０の画像記憶バッファ領域に記憶した画像データを読み出して、画像データを選択した印刷方式に適合させて、インタフェース９４、コネクタ９６を介して、外部プリンタ２１０に画像データを転送する。
【０２２９】
ステップＳ７１４で、ＡＥＢ撮影された１組分（３枚）の画像を印刷用紙１枚に印刷し、印刷処理を終了する。
【０２３０】
詳しくは、システム制御回路５０は、メモリ３０の画像記憶バッファ領域に記憶した画像データを読み出して、画像データを選択した印刷方式に適合させて、インタフェース９４、コネクタ９６を介して、外部プリンタ２１０に画像データを転送する。
【０２３１】
ステップＳ７１５で、ＡＥＢ撮影された１組分（３枚）の画像の中の１枚目の画像を印刷する。
【０２３２】
詳しくは、システム制御回路５０は、メモリ３０の画像記憶バッファ領域に記憶した画像データを読み出して、画像データを選択した印刷方式に適合させて、インタフェース９４、コネクタ９６を介して、外部プリンタ２１０に画像データを転送する。
【０２３３】
次に、ステップＳ７１６で、ＡＥＢ撮影された１組分（３枚）の画像の中の２枚目の画像を印刷する。
【０２３４】
詳しくは、システム制御回路５０は、メモリ３０の画像記憶バッファ領域に記憶した画像データを読み出して、画像データを選択した印刷方式に適合させて、インタフェース９４、コネクタ９６を介して、外部プリンタ２１０に画像データを転送する。
【０２３５】
次に、ステップＳ７１７で、ＡＥＢ撮影された１組分（３枚）の画像の中の３枚目の画像を印刷し、印刷処理を終了する。
【０２３６】
詳しくは、システム制御回路５０は、メモリ３０の画像記憶バッファ領域に記憶した画像データを読み出して、画像データを選択した印刷方式に適合させて、インタフェース９４、コネクタ９６を介して、外部プリンタに画像データを転送する。
【０２３７】
以上説明したように、実施形態１によれば、印刷対象の画像がＡＥＢ撮影された画像でない場合は、印刷対象の１つの画像を印刷する。
【０２３８】
また、印刷対象の画像がＡＥＢ撮影された画像である場合は、印刷対象の画像のみを印刷するか、ＡＥＢ撮影された１組分（３枚）の画像をインデックス方式で一括印刷するか、ＡＥＢ撮影された１組分（３枚）の画像を１枚づつ連続して印刷するかを選択することができる。
【０２３９】
＜＜実施形態２＞＞
上述の実施形態１は、ＡＥＢ撮影された１組分の画像を印刷する場合を例に挙げて適用したが、実施形態１の構成は、ＩＳＯ感度を段階的に変化させるＩＳＯ感度ブラケット（ＩＳＯＢ）撮影された１組分の画像を印刷する場合に適用してもよい。
【０２４０】
図１２は本発明の実施形態２に係る印刷処理の詳細を示すフローチャートである。
【０２４１】
尚、図１２の処理の処理対象は、実施形態１の図１０の処理がＡＥＢ撮影された画像を、ＩＳＯ感度ブラケット（ＩＳＯＢ）撮影された画像に置換したものであり、その処理手順は、図１０の処理手順に準じて実現できるので、その詳細については省略する。
【０２４２】
特に、実施形態２では、印刷対象の画像がＩＳＯ感度ブラケット（ＩＳＯＢ）撮影された画像でない場合は、印刷対象の１つの画像を印刷する（ステップＳ８１３）。
【０２４３】
また、印刷対象の画像がＩＳＯ感度ブラケット（ＩＳＯＢ）撮影された画像である場合は、印刷対象の画像のみを印刷するか、ＩＳＯ感度ブラケット（ＩＳＯＢ）撮影された１組分（３枚）の画像をインデックス方式で一括印刷するか、ＩＳＯ感度ブラケット（ＩＳＯＢ）撮影された１組分（３枚）の画像を１枚づつ連続して印刷するかを選択することができる。
【０２４４】
また、実施形態２で扱う画像ファイルの形態について、図１３を用いて説明する。
【０２４５】
図１３は本発明の実施形態２に係る画像ファイルの形態を示す図である。
【０２４６】
画像ファイルの形態は、シャッター速度、絞り値、日付、ＩＳＯＢ撮影情報（非ＩＳＯＢ、ＩＳＯＢ撮影時の１枚目、２枚目、３枚目いずれかを示す情報）等を含む撮影情報データと、サムネイル画像データ、本画像データから構成される。
【０２４７】
また、ＩＳＯＢ撮影ではなく、色温度を段階的に変化させるホワイトバランスブラケット（ＷＢＢ）撮影された１組分の画像を印刷する場合についても、ＩＳＯＢ撮影と同様に、実施形態１の構成を適用することが可能である。
【０２４８】
以上説明したように、実施形態２によれば、ＩＳＯＢ撮影やＷＢＢ撮影時の画像についても、実施形態１と同様の効果を得ることができる。
【０２４９】
＜＜実施形態３＞＞
実施形態３は、実施形態１の図１０の処理の変形例であり、ここでは、印刷方式の選択方法の変形例について説明する。
【０２５０】
特に、実施形態１では、印刷方式（第１乃至第３印刷モード）の選択方法として、指定画像がＡＥＢ撮影である場合でも、明示的に第１乃至第３印刷モードのいずれかを選択する構成としているが、実施形態３では、第２あるいは第３印刷モードを選択しない場合には自動的に第１印刷モードを選択する構成としている。
【０２５１】
また、実施形態１の構成では、指定画像がＡＥＢ撮影であると判定された時点で、そのＡＥＢ撮影で撮影された一連の撮影画像の画像ファイル群を読み出す構成としている。そして、指定画像がＡＥＢ撮影であっても、第１印刷モードが選択された場合には、読み出した画像ファイル群の内、その指定画像に対応する画像ファイルのみを印刷する構成となる。そのため、操作内容によっては、読み出した画像ファイル群の一部が使用されない場合があり得る。
【０２５２】
ここで、画像処理装置１００の処理能力や画像ファイルを記憶するメモリ３０の記憶容量が十分である場合には、特に、実施形態１の構成は問題はないが、そうでない場合には、画像処理装置１００の処理負荷やメモリ３０の記憶容量を無駄に消費する可能性がある。
【０２５３】
そこで、実施形態３では、指定画像がＡＥＢ撮影であると判定された後、第２あるいは第３印刷モードのいずれかで印刷することが確定するまでは、そのＡＥＢ撮影で撮影された一連の撮影画像の画像ファイルを読み出さない構成として、画像処理装置１００の処理負荷をできる限り軽減し、かつメモリ３０の記憶容量を効率的に使用する構成としている。
【０２５４】
但し、実施形態１での印刷方式の選択方法は、指定画像がＡＥＢ撮影である場合でも、第１乃至第３印刷モードのいずれかを選択する機会を与えることができるので、用途や目的に応じては、実施形態３の構成に比べて好ましい場合がある。
【０２５５】
そのため、実施形態１での印刷方式の選択方法と、実施形態３での印刷方式の選択方法をどちらを採用するかは、画像処理装置１００の処理能力やメモリ３０の記憶容量、加えて、用途や目的に応じて、適宜設計すれば良い。
【０２５６】
また、印刷方式の選択方法及び画像ファイルの読出タイミングは、実施形態１及び実施形態３それぞれの構成に限定されるものではなく、用途や目的に応じて、適宜設計することができる。例えば、実施形態１及び実施形態３それぞれの構成のすべてあるいはその一部を組み合わせた選択方法及び画像ファイルの読出タイミングを採用しても良い。
【０２５７】
より具体的には、実施形態３の構成において、第２印刷モードの第１サブ印刷モード及び第２サブ印刷モードの少なくとも一方のみを採用して、指定画像がＡＥＢ撮影であると判定された時点で、自動的に第２印刷モードが採用してサブ印刷モードを指定する構成としても良い。
【０２５８】
以下、実施形態３での印刷方式の選択方法が説明される、図９のステップＳ６１６における印刷処理の詳細について、図１４を用いて説明する。
【０２５９】
図１４は本発明の実施形態３に係る図９のステップＳ６１６における印刷処理の詳細を示すフローチャートである。
【０２６０】
まず、ステップＳ９０１で、システム制御回路５０は、指定画像がＡＥＢ撮影された画像であるか否かを判断する。指定画像がＡＥＢ撮影された画像でない場合（ステップＳ９０１でＮＯ）、ステップＳ９０２に進む。
【０２６１】
尚、ＡＥＢ撮影された画像であるか否かの判定は、実施形態１で説明したように、画像ファイル中の撮影情報の中に含まれている情報に基づいて実行する。
【０２６２】
ステップＳ９０２で、第１印刷モードとして、印刷方式を「ノーマル」に指定し、ステップＳ９１０に進む。
【０２６３】
一方、ステップＳ９０１で、指定画像がＡＥＢ撮影された画像である場合（ステップＳ）、ステップＳ９０３に進む。
【０２６４】
ステップＳ９０３及びＳ９０４では、ＡＥＢ撮影された１組分の画像（３枚）を一括印刷するか否かを選択する処理を行う。
【０２６５】
ステップＳ９０３で、メニュー移動＋ボタンを押下すると、表示画面が「ＹＥＳ」に切り替わる。一方、ステップＳ９０４で、メニュー移動−ボタンを押下すると、表示画面が「ＮＯ」に切り替わる。
【０２６６】
そして、「ＮＯ」の表示画面の状態でセットボタンを押下すると、「一括印刷しない」が確定し、ステップＳ９０２に進む。一方、「ＹＥＳ」の表示画面の状態でセットボタンを押下すると、「一括印刷する」が確定し、ステップＳ９０５に進む。
【０２６７】
ステップＳ９０５で、ＡＥＢ撮影された１組分（３枚）の画像ファイルを記録媒体２００から読み出し、メモリ３０に格納する。尚、ステップＳ９０５の処理は、指定画像がＡＥＢ撮影された画像の場合に実行される。
【０２６８】
ここで、指定画像がＡＥＢ撮影の１枚目の画像である場合は、指定画像の後に続く２枚分の画像ファイルも読み出す。また、指定画像がＡＥＢ撮影の２枚目の画像である場合は、指定画像の前と後に位置する２枚分の画像ファイルも読み出す。更に、指定画像がＡＥＢ撮影の３枚目の画像である場合は、指定画像の前にある２枚分の画像ファイルも読み出す。
【０２６９】
ステップＳ９０６及びステップ９０７で、ＡＥＢ撮影された１組分（３枚）の画像を一括印刷する時の印刷方式を選択する処理を行う。
【０２７０】
ステップＳ９０６では、「３枚連続」の表示画面を画像表示部２８に表示する。この状態で、メニュー移動−ボタンを押下すると、ステップＳ９０７に進み、「インデックス」の表示画面に切り替わる。また、この状態で、メニュー移動＋ボタンを押下すると、ステップＳ９０６に進み、「３枚連続」の表示画面に切り替わる。
【０２７１】
「３枚連続方式」の表示画面の状態でセットボタンを押下すると、「３枚連続」の印刷方式が確定し、ステップＳ９０８に進む。また、「インデックス」の表示画面の状態でセットボタンを押下すると、「インデックス」の印刷方式が確定し、ステップＳ９０９に進む。
【０２７２】
ステップＳ９０８で、第３印刷モードとして、印刷方式を「３枚連続」に指定し、ステップＳ９１０に進む。
【０２７３】
ステップＳ９０９で、第２印刷モードとして、印刷方式を「インデックス」に指定し、ステップＳ９１０に進む。
【０２７４】
尚、ステップＳ９１０〜ステップＳ９１７の処理は、実施形態１の図１０のステップＳ７１０〜ステップＳ７１７にそれぞれ対応し、その処理内容も同一であるので、その詳細について省略する。
【０２７５】
以上説明したように、実施形態３によれば、印刷対象の画像がＡＥＢ撮影された画像でない場合は、印刷対象の１つの画像を印刷する。
【０２７６】
また、印刷対象の画像がＡＥＢ撮影された画像である場合は、印刷対象の画像のみを印刷するか、ＡＥＢ撮影された１組分（３枚）の画像を一括印刷するかを選択できる。
【０２７７】
また、一括印刷を選択した場合は、更に、インデックス方式で一括印刷するか、ＡＥＢ撮影された１組分（３枚）の画像を１枚づつ連続して印刷するかを選択することができる。
【０２７８】
以上説明したように、本発明によれば、撮影条件（露出値（あるいは絞り値、シャッタースピート値）、感度値、ホワイトバランス値、画素数等）を段階的に切り替えながら連続して撮影するブラケット（段階）撮影（例えば、ＡＥＢ、ＩＳＯＢ、ＷＢＢ撮影等）された１組分の撮影画像をプリンタでダイレクトプリントする際、１回の印刷操作で１組分の撮影画像の印刷が可能になるので、ダイレクトプリントの操作性を向上することができる。
【０２７９】
また、ブラケット（段階）撮影された１組の撮影画像を印刷する場合の印刷形態をインデックス方式と、１画像ずつ連続して印刷する連続印刷方式との選択が可能になるので、ダイレクトプリントの操作性を向上することができる。
【０２８０】
以上、実施形態例を詳述したが、本発明は、例えば、システム、装置、方法、プログラムもしくは記憶媒体等としての実施態様をとることが可能であり、具体的には、複数の機器から構成されるシステムに適用しても良いし、また、一つの機器からなる装置に適用しても良い。
【０２８１】
尚、本発明は、前述した実施形態の機能を実現するソフトウェアのプログラム（実施形態では図に示すフローチャートに対応したプログラム）を、システムあるいは装置に直接あるいは遠隔から供給し、そのシステムあるいは装置のコンピュータが該供給されたプログラムコードを読み出して実行することによっても達成される場合を含む。
【０２８２】
従って、本発明の機能処理をコンピュータで実現するために、該コンピュータにインストールされるプログラムコード自体も本発明を実現するものである。つまり、本発明は、本発明の機能処理を実現するためのコンピュータプログラム自体も含まれる。
【０２８３】
その場合、プログラムの機能を有していれば、オブジェクトコード、インタプリタにより実行されるプログラム、ＯＳに供給するスクリプトデータ等の形態であっても良い。
【０２８４】
プログラムを供給するための記録媒体としては、例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などがある。
【０２８５】
その他、プログラムの供給方法としては、クライアントコンピュータのブラウザを用いてインターネットのホームページに接続し、該ホームページから本発明のコンピュータプログラムそのもの、もしくは圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【０２８６】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせ、その鍵情報を使用することにより暗号化されたプログラムを実行してコンピュータにインストールさせて実現することも可能である。
【０２８７】
また、コンピュータが、読み出したプログラムを実行することによって、前述した実施形態の機能が実現される他、そのプログラムの指示に基づき、コンピュータ上で稼動しているＯＳなどが、実際の処理の一部または全部を行ない、その処理によっても前述した実施形態の機能が実現され得る。
【０２８８】
さらに、記録媒体から読み出されたプログラムが、コンピュータに挿入された機能拡張ボードやコンピュータに接続された機能拡張ユニットに備わるメモリに書き込まれた後、そのプログラムの指示に基づき、その機能拡張ボードや機能拡張ユニットに備わるＣＰＵなどが実際の処理の一部または全部を行ない、その処理によっても前述した実施形態の機能が実現される。
【図面の簡単な説明】
【０２８９】
【図１】本発明の実施形態１に係る画像処理装置の構成を示す図である。
【図２】本発明の実施形態１に係る画像処理装置の主ルーチンを示すフローチャートである。
【図３】本発明の実施形態１に係る画像処理装置の主ルーチンを示すフローチャートである。
【図４】本発明の実施形態１に係る画像処理装置の主ルーチンを示すフローチャートである。
【図５】本発明の実施形態１に係る図３のステップＳ１３２の測距・測光処理の詳細を示すフローチャートである。
【図６】本発明の実施形態１に係る図４のステップＳ１５２あるいはステップＳ１８１における撮影処理の詳細を示すフローチャートである。
【図７】本発明の実施形態１に係る図４のステップＳ１５５あるいはステップＳ１８０におけるダーク取込処理の詳細を示すフローチャートである。
【図８】本発明の実施形態１に係る図４のステップＳ１５６あるいはステップＳ１８２における現像処理の詳細を示すフローチャートである。
【図９】本発明の実施形態１に係る図２のステップＳ１０７における再生モード処理の詳細を示すフローチャートである。
【図１０】本発明の実施形態１に係る図９のステップＳ６１６における印刷処理の詳細を示すフローチャートである。
【図１１】本発明の実施形態１に係る画像ファイルの形態を示す図である。
【図１２】本発明の実施形態２に係る印刷処理の詳細を示すフローチャートである。
【図１３】本発明の実施形態２に係る画像ファイルの形態を示す図である。
【図１４】本発明の実施形態３に係る図９のステップＳ６１６における印刷処理の詳細を示すフローチャートである。
【符号の説明】
【０２９０】
１０  撮影レンズ
１２  シャッター
１４  撮像素子
１６  Ａ／Ｄ変換器
１８  タイミング発生回路
２０  画像処理回路
２２  メモリ制御回路
２４  画像表示メモリ
２６  Ｄ／Ａ変換器
２８  画像表示部
３０  メモリ
３２  画像圧縮・伸長回路
４０  露光制御部
４２  測距制御部
４４  ズーム制御部
４６  バリア制御部
４８  コネクタ（アクセサリシュー）
５０  システム制御回路
５２  メモリ
５４  表示部
５６  不揮発性メモリ
６０  モードダイヤルスイッチ
６２  シャッタースイッチＳＷ１
６４  シャッタースイッチＳＷ２
６６  画像表示ＯＮ／ＯＦＦスイッチ
６８  単写／連写スイッチ
７０  操作部
８０  電源制御部
８２  コネクタ
８４  コネクタ
８６  電源部
９０  インターフェース
９２  コネクタ
９４  インターフェース
９６  コネクタ
９８  着脱検知部
１００  画像処理装置
１０２  バリア
１０４  光学ファインダー
１０６  画像表示部の開閉検知部
２００  記録媒体
２１０  外部プリンタ
２１２  外部プリンタ用ケーブル
４００  フラッシュ装置
４０２  コネクタ
４０４  発光部
【図１】
2005176108.tif 000003
【図２】
2005176108.tif 000004
【図３】
2005176108.tif 000005
【図４】
2005176108.tif 000006
【図５】
2005176108.tif 000007
【図６】
2005176108.tif 000008
【図７】
2005176108.tif 000009
【図８】
2005176108.tif 000010
【図９】
2005176108.tif 000011
【図１０】
2005176108.tif 000012
【図１１】
2005176108.tif 000013
【図１２】
2005176108.tif 000014
【図１３】
2005176108.tif 000015
【図１４】
2005176108.tif 000016